(57)【要約】      （修正有）【課題】棒状マイク部を備えたヘッドセットを、眼鏡に対し着脱自在に装着可能な眼鏡を提供する。【解決手段】棒状マイク部３２を備えたヘッドセット３１を着脱自在に固定する眼鏡であって、該眼鏡には対となるリブ形状系止部１１を備え、対となるリブ形状系止部にヘッドセットの棒状マイク部を着脱自在に系止する事を特徴とする。【選択図】図５
0003194073.tif 000002
【実用新案登録請求の範囲】
【請求項１】
棒状マイク部を備えたヘッドセットを着脱自在に固定する眼鏡であって、該眼鏡には対となるリブ形状系止部を備え、該対となるリブ形状系止部にヘッドセットの棒状マイク部を着脱自在に系止する事を特徴とする眼鏡。
【請求項２】
棒状マイク部を備えたヘッドセットを着脱自在に固定する眼鏡であって、該眼鏡には貫通穴部を備え、該貫通穴部にヘッドセットの棒状マイク部を着脱自在に系止する事を特徴とする眼鏡。
【請求項３】
棒状マイク部と相対する面に凹部を有するヘッドセットを着脱自在に固定する眼鏡であって、該眼鏡には受け部とフック部を備え、該受け部は棒状マイク先端部を受け止め、該フック部はヘッドセットの凹部に系合する事で、該眼鏡に対しヘッドセットを着脱自在に保持する事を特徴とする眼鏡。
【請求項４】
棒状マイク部を備えたヘッドセットを着脱自在に系止するヘッドセット留め具であって、該留め具は基部と系止部と接合面を備え、該系止部にヘッドセットの棒状マイク部を着脱自在に系止する事を特徴とする留め具。
【請求項５】
棒状マイク部を備えたヘッドセットを着脱自在に系止するヘッドセット留め具であって、該留め具は基部と貫通穴部と、接合面を備え、ヘッドセットの棒状マイク部を着脱自在に系止する事を特徴とする留め具。
【請求項６】
棒状マイク部と相対する面に凹部を有するヘッドセットを着脱自在に系止する留め具であって、該留め具は基部と受け部とフック部と接合面を備え、該受け部は棒状マイク先端部を受け止め、該フック部はヘッドセットの凹部に系合する事で、ヘッドセットを着脱自在に系止する事を特徴とする留め具。
【請求項７】
眼鏡のテンプル部に装着又は接合或いは固定する事で、眼鏡に対しヘッドセットを着脱自在に系合する事を特徴とする請求項４から６に記載の留め具。
【考案の詳細な説明】
【技術分野】
【０００１】
本考案は、棒状マイク部を備えたヘッドセットを着脱自在に系止可能な眼鏡に関するものである。
【背景技術】
【０００２】
電話をする際、両手を使いながら話をする為、無線式のヘッドセットが販売されている。従来は、ヘッドホンタイプにマイク部が大きくせり出したものが多かったが、近年は片耳タイプも多く、棒状マイク部を備えたタイプも多い。この時の無線方式は、デジタル機器用の近距離無線通信規格のブルーツースが使用されている場合が多い。
【０００３】
無線式のヘッドセットを耳に装着したまま作業し、電話がかかってきた時、ヘッドセットのスイッチを入れて会話を始める時があるが、常時ヘッドセットを耳に装着したままでは作業がやりにくい場合があり、通常は耳に装着していないが、電話する際はすばやく耳に装着できるヘッドセットの保持方法が望まれている。
【０００４】
眼鏡とヘッドホンあるいは、イヤホンが一体となったものとしてはいくつかの考案がされている。立体映像観察用眼鏡付きヘッドホン、特許第３６１７０９４号、改良型ヘッドセット、特許第５４３８７５９号などがある。しかしながら、前記眼鏡一体型は、ヘッドセット、イヤホンを使用しない場合も常に眼鏡と一体であり、眼鏡のみで使用する際、ヘッドセット、イヤホン部が邪魔であった。
【０００５】
また、眼鏡にイヤホンを着脱自在に装着するものとして、眼鏡装着型イヤホンが知られている。実用新案登録第３１４３０８１号。これは、イヤホンにクリップ機構を備え、眼鏡の耳掛け部（テンプル部又はモダン部）をクリップ機構で挟み込むものであった。眼鏡を掛けた状態で、クリップ機構付きイヤホンを眼鏡に装着する為には、クリップ先端部をテンプルと側頭部間に差し込む事が必要となり、差し込む時に、クリップ先端が髪の毛を挟み込む事が有り、髪の毛が引っ張られ、痛い思いをした。また、テンプルと側頭部間にクリップがある事により、側頭部が痛くなることもあった。また、クリップ差し込み時にモダンが耳からはずれ、眼鏡が落ちる事もあった。
【特許文献１】特許第３６１７０９４号公報
【特許文献２】特許第５４３８７５９号公報
【特許文献３】実用新案登録第３１４３０８１号公報
【考案の概要】
【考案が解決しようとする課題】
【０００６】
本考案は、棒状マイク部を備えたヘッドセットを、眼鏡に対し着脱自在に装着可能な眼鏡を提供する事にある。
【課題を解決するための手段】
【０００７】
本考案は、棒状マイク部を備えたヘッドセットを着脱自在に固定する眼鏡であって、該眼鏡には対となるリブ形状系止部を備え、該対となるリブ形状系止部にヘッドセットの棒状マイク部を着脱自在に系止する事を特徴とする。
【０００８】
また、棒状マイク部を備えたヘッドセットを着脱自在に固定する眼鏡であって、該眼鏡には貫通穴部を備え、該貫通穴部にヘッドセットの棒状マイク部を着脱自在に系止する事を特徴とする。
【０００９】
また、棒状マイク部と相対する面に凹部を有するヘッドセットを着脱自在に固定する眼鏡であって、該眼鏡には受け部とフック部を備え、該受け部は棒状マイク先端部を受け止め、該フック部はヘッドセットの凹部に系合する事で、該眼鏡に対しヘッドセットを着脱自在に保持する事を特徴とする。
【００１０】
また、棒状マイク部を備えたヘッドセットを着脱自在に系止するヘッドセット留め具であって、該留め具は基部と系止部と接合面を備え、該系止部にヘッドセットの棒状マイク部を着脱自在に系止する事を特徴とする。
【００１１】
また、棒状マイク部を備えたヘッドセットを着脱自在に系止するヘッドセット留め具であって、該留め具は基部と貫通穴部と、接合面を備え、ヘッドセットの棒状マイク部を着脱自在に系止する事を特徴とする。
【００１２】
また、棒状マイク部と相対する面に凹部を有するヘッドセットを着脱自在に系止する留め具であって、該留め具は基部と受け部とフック部と接合面を備え、該受け部は棒状マイク先端部を受け止め、該フック部はヘッドセットの凹部に系合する事で、ヘッドセットを着脱自在に系止する事を特徴とする。
【００１３】
また、前記留め具を眼鏡のテンプル部に装着又は接合或いは固定する事で、眼鏡に対しヘッドセットを着脱自在に系合する事を特徴とする。
【考案の効果】
【００１４】
本考案の棒状マイク部を備えたヘッドセット着脱自在型眼鏡は、眼鏡にヘッドセットを保持した状態から電話がかかってきた時、眼鏡保持部から容易にヘッドセットを取り外し、ヘッドセットを耳に装着し電話での通話を行い、通話終了時は、ヘッドセットを眼鏡の保持部に保持させる事で急な電話に容易に対応できる。
【図面の簡単な説明】
【００１５】
【図１】一般的な眼鏡の斜視図である。
【図２】棒状マイク部を備えたヘッドセットを示す斜視図である。
【図３】対のリブ形状保持部を備えた眼鏡を示す斜視図である。
【図４】図３に対し、ヘッドセットを保持する前の位置に置いた状態を示す斜視図である。
【図５】図４に対し、ヘッドセットを保持した状態を示す斜視図である。
【図６】貫通穴部を備えた眼鏡を示す斜視図である。
【図７】図６に対し、ヘッドセットを保持した状態を示す斜視図である。
【図８】ドーム状の系合部とフック状の系止部を備えた眼鏡を示す斜視図である。
【図９】図８に対し、ヘッドセットの棒状部マイク部３２先端をドーム状系合部２１に差込んだ状態を示す斜視図である。
【図１０】図９に対し、ヘッドセット３１の凹部３４にフック状の系止部２２を系止した状態を示す斜視図である。
【図１１】基部と系止部と接合面を備えた留め具の斜視図である。
【図１２】基部と貫通穴部と接合面を備えた留め具の斜視図である。
【図１３】基部と受け部とフック部と接合面を備えた留め具の斜視図である。
【図１４】図１２の留め具を眼鏡に固定した状態を示す斜視図である。
【考案を実施するための最良の形態】
【００１６】
棒状マイク部を備えたヘッドセットと眼鏡が一体にデザインされたものである事が有効である。
【実施例１】
【００１７】
図１は、一般的な眼鏡の斜視図である。１はリムであって、２はブリッジ、３はヒンジ、４はテンプル、５はモダンを示している。
【００１８】
図２は、棒状マイク部を備えたヘッドセットを示す斜視図である。３１はヘッドセットを示し、３２は棒状マイク部、３３は耳穴挿入部、３４は端子接続用凹部である。棒状部３２の先端付近にはマイクが内蔵されている。３４部はＵＳＢなどのコネクタを備える場合がある。デザイン的な凹部を使用する場合もある。形状としては本体部を小さくしたデザインもある。
【００１９】
図３は、対のリブ形状保持部を備えた眼鏡を示す斜視図である。１１、１２は系止部であり、対となる位置に配置されたリブ形状で、保持部を形成している。
【００２０】
図４は、図３に対し、ヘッドセット３１を保持する前の位置に置いた状態を示す斜視図である。
【００２１】
図５は、図４に対し、ヘッドセット３１を保持した状態を示す斜視図である。ヘッドセット３１の棒状マイク部３２は、眼鏡の対となった系止部１１の間に挿入され、棒状マイク部３２が挿入された事で、系止部１１は弾性変形し、元に戻ろうとする力で、棒状マイク部３２を着脱自在に系止している。
【００２２】
図６は、貫通穴部を備えた眼鏡を示す斜視図である。４１は凸部であり、４２は貫通穴部を示している。
【００２３】
図７は、図６に対し、ヘッドセットを保持した状態を示す斜視図である。棒状マイク部３２を貫通穴部４２の中に挿入するにより、棒状マイク部３２と貫通穴部４２間の摩擦抵抗により、棒状マイク部は着脱自在に系止されている。また、積極的に系止を発生させる為に、貫通穴部４２の内部に弾性変形片を配する場合もある。
【００２４】
図８は、ドーム状の系合部とフック状の系止部を備えた眼鏡を示す斜視図である。２１はドーム状の系合部を示し、２２はフック状の系止部を示している。
【００２５】
図９は、図８に対し、ヘッドセットの棒状部マイク部３２先端をドーム状系合部２１に差込んだ状態を示す斜視図である。この時ドーム状系合部２１にて棒状マイク部３２は動きを制限される。
【００２６】
図１０は、図９に対し、ヘッドセット３１の凹部３４にフック状の系止部２２を系止した状態を示す斜視図である。フック状の系止部２２のフック形状および大きさは、凹部３４に合わせた形状および大きさである事が望ましいのは当然である。
【００２７】
図１１は、基部と系止部と接合面を備えた留め具の斜視図である。５１は基部を示し、５２は系止部、５３は接合面を示し、基部５１の裏面が接合面５３である。
【００２８】
図１２は、基部と貫通穴部と接合面を備えた留め具の斜視図である。５１は基部を示し、５４は貫通穴部、５３は接合面を示している。
【００２９】
図１３は、基部と受け部とフック部と接合面を備えた留め具の斜視図である。５１は基部を示し、５５は受け部、５６はフック部、５３は接合面を示している。
【００３０】
図１４は、図１２の留め具を眼鏡に固定した状態を示す斜視図である。留め具の接合面５３の眼鏡のテンプルへの固定は、接着或いは溶着、ビス固定などを行う事もある。図１１、図１３の留め具も、図１４と同様に眼鏡のテンプルへ固定し、この事により、眼鏡に対し、棒状マイク部を有するヘッドセットを、着脱自在に保持する事が可能となっている。
【産業上の利用可能性】
【００３１】
本発明の棒状マイク部を有するヘッドセットを着脱自在に保持する眼鏡は、眼鏡側面にヘッドセットを保持し、必要な時に眼鏡からヘッドセットを取り外し、ヘッドセットを耳に装着する事でスムーズな電話通話を可能とし、電話がかかってきた時、あわててヘッドセットを探す手間を省く事ができる。
【符号の説明】
【００３２】
１    リム
２    ブリッジ
３    ヒンジ
４    テンプル
５    モダン
１１    系止部
２１    ドーム状の系止部
２２    フック状の系止部
３１    ヘッドセット
３２    棒状マイク部
３３    耳穴挿入部
３４    端子接続用凹穴
４１    凸部
４２    貫通穴部
５１    基部
５２    系止部
５３    接合面
５４    貫通穴部
５５    受け部
５６    フック部
【図１】
0003194073.tif 000003
【図２】
0003194073.tif 000004
【図４】
0003194073.tif 000005
【図５】
0003194073.tif 000006
【図９】
0003194073.tif 000007
【図１３】
0003194073.tif 000008
【図３】
0003194073.tif 000009
【図６】
0003194073.tif 000010
【図７】
0003194073.tif 000011
【図８】
0003194073.tif 000012
【図１０】
0003194073.tif 000013
【図１１】
0003194073.tif 000014
【図１２】
0003194073.tif 000015
【図１４】
0003194073.tif 000016